(57)【特許請求の範囲】
【請求項１】
ロールペーパーを支持可能な回転軸と、該回転軸の上方でロールペーパーに被覆可能に起伏動すると共に正面端縁に紙切断機能を有するカバー体と、前記回転軸が周回可能に回転軸の一端が軸架された中空の側部材を具備してなるロールペーパーホルダーであって、前記側部材の中空部に於いて前記回転軸の一端には該回転軸と同期可能に回転板が固着され、
該回転板には、錘と、側部材を構成する側壁方向に突出する案内ピンが、回転軸を中心として周方向に離隔角度が９０度を超えて１８０度未満の範囲内であって、且つ、錘が前記回転軸の真下に位置した場合は案内ピンが正面方に位置する位置関係に設けられ、
前記側部材の中空部には、前記側部材の側壁と前記回転板との間に於いて、先端部を前記回転軸に近接させる付勢手段を具備し、且つ前記案内ピンの位置的関連に応じて起伏動可能な回動案内アームを設け、
該回動案内アームには、前記回転軸の正面方向への回転により移動する前記案内ピンをガイド可能な弧状ガイド壁と、案内ピン及び前記回転軸の正面方向への回転を停止可能な案内ピン係止壁が、案内ピン通り抜け溝を介在して設けられ、
前記側部材と前記カバーとで囲まれる空間に於ける回転軸の外側には回転軸外径よりも内径が大径なロールペーパー芯保持具が配設され、
ロールペーパー芯保持具の外周面には、ロールペーパーの芯の内周面との摩擦力でロールペーパーを取り付ける摩擦部材を外周面に具備し、
ロールペーパーを正面方に引き出し初期では、案内ピンが弧状ガイド壁に沿って移動しロールペーパーと回転軸が同期回転をし、
一定長さ以上のロールペーパー引き出し状態では、案内ピンが前記案内ピン係止壁に係止されて回転軸は回転動を停止し、ロールペーパー芯保持具はロールペーパーと共に回転軸を空回りし、
ロールペーパーの引き出しを停止すると、前記付勢手段による付勢で回動案内アームを回転動させ案内ピンは案内ピン係止壁から外れ、案内ピンは案内ピン通り抜け溝を通り、回転板は錘が回転軸の真下に位置するように正面方向に回転動し、回転軸はロールペーパー芯保持具と共に正面方向に回転動し、該回転動量分に相当するペーパーを摘み部としてカバー体の正面端縁より正面方に繰り出すようにしたことを特徴とするロールペーパーホルダー。
【請求項２】
前記回転軸が停止状態で前記ロールペーパー芯保持具が回転動状態では、前記回転軸が上記側部材の側壁外側面に対して略９０度の角度を保持状態で安定的に停止可能に、
前記回転軸には、側部材の側壁の外側面と当接し回転軸の軸心と９０度の角度を以って外方に張り出す当接片が固着されたことを特徴とする請求項１に記載のロールペーパーホルダー。
【請求項３】
ロールペーパーの芯が取り付けられるロールペーパー芯取付具と、該ロールペーパー芯取付具の上方で起伏動すると共に正面端縁に紙切断機能を有するカバー体と、前記ロールペーパー芯取付具が周回可能に取り付けられた中空側部材を具備してなるロールペーパーホルダーであって、
前記ロールペーパー芯取付具の閉塞された一端面には正面方向に傾斜した外歯を有するラチェットギアと、該ラチェットギアと係合するラチェット爪を具備するラチェット機構を設け、
前記側部材の中空部に於いて、ラチェット軸と同期可能に回転板が固着され、
該回転板には、錘と、側部材を構成する側壁方向に突出する案内ピンが、前記ラチェット軸を中心として周方向に離隔角度が９０度を超えて１８０度未満の範囲内であって、且つ、錘が前記ラチェット軸の真下に位置した場合は案内ピンが正面方に位置する位置関係に設けられ、
前記側部材の中空部には、前記側部材の側壁と前記回転板との間に於いて、先端部を前記ラチェット軸に近接させる付勢手段を具備し、且つ前記案内ピンの位置的関連に応じて起伏動可能な回動案内アームを設け、
該回動案内アームには、前記ラチェット軸の正面方向への回転により移動する前記案内ピンをガイド可能な弧状ガイド壁と、案内ピン及び前記ラチェット軸の正面方向への回転を停止可能な案内ピン係止壁が、案内ピン通り抜け溝を介在して設けられ、
前記ロールペーパー芯取付具の外周面には、ロールペーパーの芯の内周面との摩擦力でロールペーパーを取り付ける摩擦部材を具備し、
ロールペーパーを正面方に引き出し初期では、案内ピンが弧状ガイド壁に沿って移動しロールペーパーとラチェット軸が同期回転をし、
一定長さ以上のロールペーパー引き出し状態では、案内ピンが前記案内ピン係止壁に係止されてラチェット軸は回転動を停止し、
ロールペーパーの引き出しを停止すると、前記付勢手段による付勢で回動案内アームを回転動させ案内ピンは案内ピン係止壁から外れ、案内ピンは案内ピン通り抜け溝を通り、回転板は錘が回転軸の真下に位置するように正面方向に回転動し、ラチェット軸はロールペーパー芯取付具と共に正面方向に回転動し、該回転動量分に相当するペーパーを摘み部としてカバー体の正面端縁より正面方に繰り出すようにしたことを特徴とするロールペーパーホルダー。
【発明の詳細な説明】
【技術分野】
【０００１】  本願発明は、ロールペーパーを切断後に、ロールペーパーが自動的に正面方向に回転し、次に使用する際の摘み代として一定量の端部が繰り出しカバー体の正面端縁から垂下するロールペーパーホルダーに関する。
【背景技術】
【０００２】  従来、この種のロールペーパーホルダーとしては、鋸歯状の歯車部が形成されロールペーパーと供回り可能に構成された軸と、カバーから垂下して揺動可能に取り付けられカバーが軸から離間する際にのみ軸の歯車部と噛合する歯付き部材と、ロールペーパーが繰り出される直前にロールペーパーの最外周部を一旦浮かせる剥離部材とを備え、カバーの押し下げ及び解除によりロールペーパーを所定角度回転させて繰り出し可能にしたものが提案されている（例えば、特許文献１参照）。
特許文献１に開示のロールペーパーホルダーであると、任意の長さを引き出した後に、カバーを押し下げてロールペーパーを切断し手を離すと、次の使用に丁度よい長さが引き出されようにしている。そのため、手がカバーに触れ、手指に付着した大腸菌等の雑菌や排泄し手指に付着した糞尿がカバーに付着するおそれがあり不衛生であるという問題点があった。
カバー本体の押し下げ後の、押し下げ前のカバー体の位置への復元により芯部材を回転駆動する手段により、ロール体を回転させ、ペーパーを垂下させるロールペーパーホルダーが開示されている（例えば、特許文献２参照）。
特許文献２に開示のロールペーパーホルダーであると、カバー体を手で押し下げるために、カバー体に手指に付着した大腸菌等の雑菌や排泄した糞尿が付くおそれがあり、カバー体の衛生状態が保持されないという問題点があった。
上部にピンを有し円弧状溝内に沿って回転動可能な刃部の廻り止め辺を具備した回転支持アームと、先端にフック部を設けたクランクとをフック部とピンが係脱可能に設けられた自動摺動突出引込み機構と、裏面先端に爪を表面中央に突起を、裏面先端しストッパー辺を具備した刃部とを有し、ホルダー本体内を昇降するケースにロールペーパーを抱持させ、ホルダー本体の側端縁部及びケースの端縁部の相互部位に架設されたロールペーパーの引き出された先端縁部が挟持され、ペーパーの端部が手前に引くとロールペーパーを回転しペーパーが適宜量繰り出されると、ホルダー本体の側端縁部よりカッターを突出させ、このカッターの刃部の突出により引っ張られたペーパーは切断された後に、突起と側端縁部との係止が外れ刃部はホルダー本体の側端縁部に引き込み、ペーパーの端部をホルダー本体の側端縁部の外に残存させて、次の使用の摘み代とするようにしたロールペーパーホルダーが提案されている（例えば、特許文献３参照）。
特許文献３に開示のワンハンド操作によるロールペーパーホルダーは、ペーパーを引かなくなると、突起と側端縁部との係止が解除され、刃部はスプリングの復元力で側端縁部より引き込みむ構成であり、本願発明の構成とは別異である。
押込み回動板と追従紙切板を重合してカバー体として装着し、押込回動板及び扇状歯形板を手で押さえ込んだ状態でロールペーパーを手前に繰り出し先端部を追従紙切板で切り離し後、押込回動板から手を離すという作業を、使用後に再度行い所望量のペーパーをカバー体の正面端縁から正面方に露出させることが開示されている（例えば、特許文献４参照）。
特許文献４に開示の巻紙保持機器具であると、押込回動板及び扇状歯形板を手で押圧しなければペーパーの切断ができず面倒であり、特に、爪に装飾を施した女性にとっては爪が痛むおそれがあるという問題点があった。又、次の使用のために、使用後に自動的に摘み用の紙が出てくるのではなく、押込回動板及び扇状歯形板を手で押圧状態下で、ペーパーを手前に引き出すという人為的作業をする必要があり、排便後の人の手指に付着した大腸菌等の雑菌や排泄した糞尿が押込回動板及び扇状歯形板に付着するおそれがあり、カバー体の衛生状態が保持されないという問題点があった。
又、上記特許文献１〜４は何れもペーパーを切断するときにロールペーパーが回転するので、切断が困難であるという問題点があった。
【先行技術文献】
【特許文献】
【０００３】
【特許文献１】特開２００３−４７２号公報
【特許文献２】特開２０１３−１９８７１４号公報
【特許文献３】特開２００８−２２０８９９号公報
【特許文献４】特開２００９−１０６７１７号公報
【発明の概要】
【発明が解決しようとする課題】
【０００４】  本願発明が解決しようとする課題は、次の使用のためのロールペーパーの摘み部をカバー体正面端縁から正面方に露出させるために、手でロールペーパーホルダーやカバー体等を触れることである。
【課題を解決するための手段】
【０００５】  上記目的を達成するために本願発明のうち請求項１に記載の発明は、ロールペーパーを支持可能な回転軸と、該回転軸の上方でロールペーパーに被覆可能に起伏動すると共に正面端縁に紙切断機能を有するカバー体と、前記回転軸が周回可能に回転軸の一端が軸架された中空の側部材を具備してなるロールペーパーホルダーであって、側部材の中空部に於いて前記回転軸の一端には該回転軸と同期可能に回転板が固着され、回転板には、錘と、側部材を構成する側壁方向に突出する案内ピンが、回転軸を中心として周方向に離隔角度が９０度を超えて１８０度未満の範囲内であって、且つ、錘が前記回転軸の真下に位置した場合は案内ピンが正面方に位置する位置関係に設けられ、前記側部材の中空部には、前記側部材の側壁と前記回転板との間に於いて、先端部を前記回転軸に近接させる付勢手段を具備し、且つ、前記案内ピンの位置的関連に応じて起伏動可能な回動案内アームを設け、該回動案内アームには、前記回転軸の正面方向への回転により移動する前記案内ピンをガイド可能な弧状ガイド壁と、案内ピン及び前記回転軸の正面方向への回転を停止可能な案内ピン係止壁が、案内ピン通り抜け溝を介在して設けられ、前記側部材と前記カバーとで囲まれる空間に於ける回転軸の外側には回転軸外径よりも内径が大径なロールペーパー芯保持具が配設され、ロールペーパー芯保持具の外周面には、ロールペーパーの芯の内周面との摩擦力でロールペーパーを取り付ける摩擦部材を外周面に具備し、ロールペーパーを正面方に引き出し初期では、案内ピンが弧状ガイド壁に沿って移動しロールペーパーと回転軸が同期回転をし、一定長さ以上のロールペーパー引き出し状態では、案内ピンが前記案内ピン係止壁に係止されて回転軸は回転動を停止し、ロールペーパー芯保持具はロールペーパーと共に回転軸を空回りし、ロールペーパーの引き出しを停止すると、前記付勢手段による付勢で回動案内アームを回転動させ案内ピンは案内ピン係止壁から外れ、案内ピンは案内ピン通り抜け溝を通り、回転板は錘が回転軸の真下に位置するように正面方向に回転動し、回転軸はロールペーパー芯保持具と共に正面方向に回転動し、該回転動量分に相当するペーパーを摘み部としてカバー体の正面端縁より正面方に繰り出すようにしたことを特徴とする。
請求項２に記載の発明は、請求項１に記載のロールペーパーホルダーの回転軸が停止状態で前記ロールペーパー芯保持具が回転動状態では、前記回転軸が上記側部材の側壁外側面に対して略９０度の角度を保持状態で安定的に停止可能に、前記回転軸には、側部材の側壁の外側面と当接し回転軸の軸心と９０度の角度を以って外方に張り出す当接片が固着されたことを特徴とする
請求項３に記載の発明は、ロールペーパーの芯が取り付けられるロールペーパー芯取付具と、該ロールペーパー芯取付具の上方で起伏動すると共に正面端縁に紙切断機能を有するカバー体と、前記ロールペーパー芯取付具が周回可能に取り付けられた中空側部材を具備してなるロールペーパーホルダーであって、前記ロールペーパー芯取付具の閉塞された一端面には正面方向に傾斜した外歯を有するラチェットギアと、該ラチェットギアと係合するラチェット爪を具備するラチェット機構を設け、前記側部材の中空部に於いて、ラチェット軸と同期可能に回転板が固着され、該回転板には、錘と、側部材を構成する側壁方向に突出する案内ピンが、前記ラチェット軸を中心として周方向に離隔角度が９０度を超えて１８０度未満の範囲内であって、且つ、錘が前記ラチェット軸の真下に位置した場合は案内ピンが正面方に位置する位置関係に設けられ、前記側部材の中空部には、前記側部材の側壁と前記回転板との間に於いて、先端部を前記ラチェット軸に近接させる付勢手段を具備し、且つ前記案内ピンの位置的関連に応じて起伏動可能な回動案内アームを設け、該回動案内アームには、前記ラチェット軸の正面方向への回転により移動する前記案内ピンをガイド可能な弧状ガイド壁と、案内ピン及び前記ラチェット軸の正面方向への回転を停止可能な案内ピン係止壁が、案内ピン通り抜け溝を介在して設けられ、前記ロールペーパー芯取付具の外周面には、ロールペーパーの芯の内周面との摩擦力でロールペーパーを取り付ける摩擦部材を具備し、ロールペーパーを正面方に引き出し初期では、案内ピンが弧状ガイド壁に沿って移動しロールペーパーとラチェット軸が同期回転をし、一定長さ以上のロールペーパー引き出し状態では、案内ピンが前記案内ピン係止壁に係止されてラチェット軸は回転動を停止し、ロールペーパーの引き出しを停止すると、前記付勢手段による付勢で回動案内アームを回転動させ案内ピンは案内ピン係止壁から外れ、案内ピンは案内ピン通り抜け溝を通り、回転板は錘が回転軸の真下に位置するように正面方向に回転動し、ラチェット軸はロールペーパー芯取付具と共に正面方向に回転動し、該回転動量分に相当するペーパーを摘み部としてカバー体の正面端縁より正面方に繰り出すようにしたことを特徴とする。
【発明の効果】
【０００６】  本願発明は、回転板に回転軸を９０度を超えて１８０度未満の範囲に案内ピンと錘を設け、回転軸方向に付勢する回動案内アームには案内ピンをガイドする円弧状ガイド壁と、案内ピン及び前記回転軸の正面方向への回転を停止可能な案内ピン係止壁が、案内ピン通り抜け溝を介して設けられているので、ペーパーを正面方に引き出し状態では案内ピンが案内ピン係止壁に係止されて回転軸は停止しロールペーパー芯保持具がロールペーパーと同期回転をしペーパーは繰り出され、ペーパー切断と同時に付勢手段による復元力で回動案内アームは先端部が回転軸上方へと伏せるように回動し、且つ案内ピンは案内ピン係止壁から外れ、さらに、錘の重力により錘が回転軸を中心として回転動し、回転軸を中心として錘の回転量に対応した量のロールペーパーが自動的にカバー体の正面端縁から正面方に露出し、この露出分が次の使用の摘み部となし、手でカバー体を触れることがなくペーパーの摘みを手に取ることができ、衛生的であるという効果がある。
ペーパーを切断するときに、ロールペーパーが停止しているので、容易に切断できるという効果がある。
【図面の簡単な説明】
【０００７】
【図１】側部材の内部構造を示すロールペーパーホルダーの一部切欠説明図である。（実施例１）
【図２】カバー体を除いた図１のＡ−Ａ線断面図である。（実施例１）
【図３】ロールペーパーを取り付けた状態における回転軸とロールペーパー芯保持具との関係を示す断面説明図である。（実施例１）
【図４】図３のＢ−Ｂ線断面図である。（実施例１）
【図５】回転板と回動案内アームとの関係を示す斜視図である。（実施例１）
【図６】ロールペーパーを正面方に引き出しているときの回転板と回動案内アームの作動状態を示す側面説明図である。（実施例１）
【図７】ロールペーパーの引き出されたペーパーを切断直後の回転板と回動案内アームの作動状態を示す側面説明図である。（実施例１）
【図８】ロールペーパーの引き出されたペーパーを切断後、若しくはペーパーを正面方に引き出さない状態の回転板と回動案内アームの状態を示す側面説明図である。（実施例１）
【図９】側部材の内部構造を示すロールペーパーホルダーの一部切欠説明図である。（実施例２）
【図１０】ロールペーパーを取り付けた状態におけるラチェット軸とロールペーパー芯取付具との関係を示す断面説明図である。（実施例２）
【図１１】ロールペーパー芯取付具、ラチェットギア、回転板及び側部材の関係を示す説明図である。（実施例２）
【図１２】ラチェットギアとラチェット爪が取り付けられたロールペーパー芯取付具の一端面を示す斜視説明図である。（実施例２）
【発明を実施するための形態】
【０００８】  回転板に、錘と、側部材の側壁方向に突出する案内ピンが回転軸を中心として離隔角度が９０度を超えて１８０度未満の範囲内であって、錘が前記回転軸の真下に位置した場合は案内ピンが正面方に位置する位置関係に設けることで、ペーパーがペーパー引き出し作用力から解放されると、回動案内アームは元の位置へと移動をし、案内ピンは案内ピン係止壁への作用を脱し案内ピン通り抜け溝を通り、錘の重力で回転板を回転させて錘の回動角度に相応する長さのペーパーを正面方に出し、手でロールペーパーホルダーを触れることなく、次に使用のためのロールペーパーの摘み長さ量分をカバー体の正面端縁から正面方に露出することを実現した。
【実施例１】
【０００９】  図１〜図８に基いて実施例１を説明する。ロールペーパーホルダー１は、壁面に取り付けるための背面板２と９０度の角度を有して背面板２の左右方向の一側縁から正面方に突き出す中空の側部材３を一体的に連設している。側部材３は、側壁４と蓋５とで内側に空間部を設けている。背面板２の左右方向の他側縁の上端には枢軸取り付け片６を背面板２と９０度の角度を有して正面方に連続的に突設している。側壁４の上端と枢軸取り付け片６には枢軸７によりカバー体８を起伏動可能に枢着している。カバー体８の正面端縁には紙を切断可能な紙切断用刃９を設けている。【００１０】  背面板２とカバー体８と側壁４とで囲まれる空間には、側壁４の外側面と９０度の角度を有して回転軸１０が横臥し、回転軸１０の一端は側壁４を回転可能に貫通し、側部材３の中空部に位置して一端は蓋５の内側面に回転自在に軸架されている。側部材３の中空部に於いて、回転軸１０の一端には、回転軸１０の軸心と９０度の角度を有して回転板１１が固着されている。回転板１１には錘１２と案内ピン１３が、回転軸１０を中心として離隔角度が９０度を超えて１８０度未満の範囲内に位置して設けられている。案内ピン１３は、側壁４の方向に突出するように回転板１１の内側面と９０度の角度を有して回転板１１に取り付けられている。【００１１】  側壁４の内側面には、枢軸１４が設けられている。枢軸１４には回動案内アーム１５の一端部が枢着され、回動案内アーム１５が側壁４の内側面と平行に回転動するようにしている。回動案内アーム１５には、回動案内アーム１５の長さ方向に沿う弧状ガイド壁１６と、案内ピン１３の外径より僅かばかり大なる距離を有して離隔した位置に案内ピン係止壁１７を設けている。弧状ガイド壁１６と案内ピン係止壁１７との間の離隔部分は案内ピン通り抜け溝１８と成している。側面から視て、案内ピン係止壁１７は高さ方向長さが回転軸１０と案内ピン１３の対向外面間の直線距離よりも短く設定されている。枢軸１４には捩じりバネ１９を巻きつけて、捩じりバネ１９の一端は側壁４に固着し、他端は回動案内アーム１５に取り付け、回動案内アーム１５の他端が回転軸１０の上方に位置するように付勢するようにしている。捩じりバネ１９の復元状態では、図８に示すように、回転軸１０の上方で回転軸１０に近接するようにしている。側壁４にはギア２０を固定的に取り付けている。ギア２０の周面に形成した歯と噛合する歯２１が、回動案内アーム１５の一端縁に沿って設けられている。【００１２】  ロールペーパー芯保持具２２は、回転軸１０の外径より内径の大なる筒状で他端面は閉塞され、一端面には回転軸１０の外径より僅かばかり大きい貫通孔が穿孔され、外周面にはシリコンゴム等の高摩擦力を有する材料よりなり外方に突き出す突起状の摩擦部材２４が設けられている。ロールペーパー芯保持具２２の内側には、ロールペーパー芯保持具２２の内周面と所定距離離隔して回転軸１０が、ロールペーパー芯保持具２２及び回転軸１０の軸心が同軸上になるように横臥して配設されている。ロールペーパー芯保持具２２の一端面に穿設された貫通孔には回転軸１０が僅かな遊びを有して貫設され、当接片２５を介在して側壁４に回転可能に軸架さ���ている。当接片２５は、回転軸１０の軸心と９０度の角度を以って外方に張り出すフランジ状に設けられている。【００１３】  次に作用について説明する。
図８は、ペーパーを引き出す前、つまり使用前の状態である。捩じりバネ１９は復元し、錘１２は回転軸１０の真下に位置し、案内ピン１３はロールペーパーホルダー１の正面側に位置し、回動案内アーム１５の他端は回転軸１０の上方で回転軸１０に近接している。図８に示す状態で、使用者がカバー体８の正面端縁から露出するロールペーパー２６の摘み部２７を正面方向に引き出す。ロールペーパー２６の芯２８の内周面は、摩擦部材２４との摩擦力及び摩擦部材２４の外方向への付勢力、換言すれば芯２８の内周面への摩擦部材２４の復元力の作用により、ロールペーパー２６はロールペーパー芯保持具２２に安定的に取り付けられる。摘み部２７を正面方向に引き、ペーパーを繰り出そうとすると、ロールペーパー２６は正面方向に周回する。芯２８は摩擦部材２４の復元力及び摩擦力によりロールペーパー芯保持具２２に固定され、ロールペーパー２６とロールペーパー芯保持具２２及び回転軸１０は同期回転をする。図８中、回転板１１に矢印で示すように、回転軸１０の回転に伴い、同時に案内ピン１３は下方から後方へと回転をし、弧状ガイド壁１６を一端方から他端方（先端方）に沿って移動する。【００１４】  ペーパー繰り出し作業を続けると、回転軸１０の回転動により、案内ピン１３が弧状ガイド壁１６の先端から正面方に移動する。図６に示すように、案内ピン１３は案内ピン係止壁１７に衝突をし、案内ピン係止壁１７に係止され、回転軸１０は回転動を停止し、当接片２５は側壁４の外側面に当接する。ペーパー繰り出し作業を続けると、案内ピン１３の案内ピン係止壁１７による係止状態下で、ロールペーパー芯保持具２２が回転軸１０に対して空回りをし、ロールペーパー芯保持具２２と共にロールペーパー２６は同期回転しペーパーは正面方に引き出される。ロールペーパー芯保持具２２が回転軸１０に対して空回り状態のときは、ロールペーパー芯保持具２２を介して回転軸１０に正面方向への力が作用している。【００１５】  図７に示すように、ペーパーをカバー体８の紙切断用刃９で切断すると、ロールペーパー芯保持具２２は正面方向への作用する力から解放される。回転軸１０も正面方向に働く力から解放される。捩じりバネ１９の復元力により捩じりバネ１９は開き、回動案内アーム１５は正面方向に回転動をし、回動案内アーム１５の先端部は回転軸１０の上方に於いて回転軸１０に近接した位置で停止する。同時に、案内ピン１３は案内ピン通り抜け溝１８を通り抜け、案内ピン係止壁１７から離れる。次に、回転軸１０は回転板１１に設けられた錘１２の重力により正面方向へ回転動をする。つまり、図７中の矢印で示すように、回転軸１０は、回転板１１に設けた錘１２の重力により、回転軸１０を中心として真下の位置になるように回転動をする。すなわち、錘１２の重力により回転軸１０及び回転板１１は回転をし、案内ピン１３は案内ピン係止壁１７の上方を経由して正面方へと移動をし、錘１２は回転軸１０の真下に位置する。捩じりバネ１９は、歯２１とギア２０の歯と噛合により緩やかに復元をする。捩じりバネ１９の緩やかな復元に応じて、回動案内アーム１５も緩やかに回転軸１０の上方に他端が位置するように回動する。案内ピン係止壁１７への��内ピン１３の係止状態からの解放時から錘１２が回転軸１０の真下に位置するように回転軸１０が周方向に回転して量分のロールペーパー２６が、紙切断用刃９から正面方に引き出され、使用前の図８に示す状態になる。
【実施例２】
【００１６】  図９〜図１２に示される実施例２について説明する。
ロールペーパーホルダー２９は、壁面に取り付けるための背面板３０と９０度の角度を有して背面板３０の左右方向の一側縁から正面方に突き出す中空の側部材３１を一体的に連設している。側部材３１は、側壁３２と蓋３３と内側に空間部を設けている。背面板３０の左右方向の他側縁の上端には枢軸取り付け片３４を背面３０と９０度の角度を有して正面方に連続的に突設している。側壁３２の上端と枢軸取り付け片３４には枢軸３５によりカバー体３６を起伏動可能に枢着している。カバー体３６の正面端縁には紙を切断可能な紙切断用刃３７を設けている。【００１７】  背面板３０とカバー体３６と側壁３２とで囲まれる空間には、ロールペーパー芯取付具３８が配設されている。ロールペーパー芯取付具３８は、両端を閉塞した中空円筒状に形成され、周面には摩擦部材３９を設けている。摩擦部材３９は、摩擦抵抗が大であり、且つある程度の弾性を有する部材、例えばシリコンゴム等を材料とし棘状にしたものが例に挙げられる。【００１８】  ロールペーパー芯取付具３８の一端面にはラチェット機構を有している。ロールペーパー芯取付具３８の一端面中心にはラチェット軸４０の他端を回転可能に軸架し、ラチェット軸４０の一端は側壁３２を貫通して蓋３３の内側面に回転可能に軸架されている。ラチェットギア４１は正面方向に歯が傾斜され、ラチェット爪４２が背面方向に回転しようとすると歯溝に食い込んで係止させるように構成されている。ラチェット軸４０には、側部材３１の中空部に於いて、案内ピン４３と錘４４を具備する回転板４５が一体的に取り付けられている。【００１９】  側部材３１の中空部内に於ける回転板４５、回動案内アーム４６の構造は実施例１の図６〜図８に示す構造と同じである。つまり、側壁３２の内側面には回動案内アーム４６が側壁３２の内側面と平行に回動するように枢軸により取り付けられている。回動案内アーム４６には、回動案内アーム４６の長さ方向に沿う弧状ガイド壁４７と、案内ピン４３の外径より僅かばかり大なる距離を有して離隔した位置に案内ピン係止壁４８を設けている。弧状ガイド壁４７と案内ピン係止壁４８との間の離隔部分は案内ピン通り抜け溝と成している。側面から視て、案内ピン係止壁４８は高さ方向長さがラチェット軸４０と案内ピン４３の対向外面間の直線距離よりも短く設定されている。枢軸には捩じりバネ４９を巻きつけて、捩じりバネ４９の一端は側壁３２に固着し、他端は回動案内アーム４６に取り付け、回動案内アーム４６の他端がラチェット軸４０の上方に位置するように付勢するようにしている。捩じりバネ４９の復元状態では、ラチェット軸４０の上方でラチェット軸４０に近接するようにしている。側壁にはギア（図示せず）を固定的に取り付けられ、ギア（図示せず）の周面に形成した歯と噛合する歯（図示せず）が、回動案内アーム４６の一端縁に沿って設けられている。【００２０】  次に作用について説明する。ロールペーパー芯取付具３８の外側にロールペーパー２６を装着する。摩擦部材３９の復元力が芯２８の内周面に作用し、ロールペーパー２６はロールペーパー芯取付具３８に取り付けられる。ロールペーパー２６を正面方に引き出すと、ロールペーパー２６の正面方向への回転動���共にラチェット軸４０は正面方向に同期回転する。案内ピン４３は弧状ガイド壁４７に沿って移動し、案内ピン係止壁４８に係止される。ロールペーパー２６の引き出し作業を続行すると、案内ピン４３が案内ピン係止壁４８に係止し、ラチェット軸４０は停止状態で、ラチェット爪４２と共にロールペーパー芯取付具３８が正面方向に回転動する。ペーパーを切断すると、捩じりバネ４９の復元力で回動案内アーム４６はラチェット軸４０に近接し、案内ピン４３は案内ピン通り抜け溝を通り抜ける。次に、錘４４の重力で、錘４４がラチェット軸４０の真下に移動するように回転板４５は回転動をし、この回転動の回転量分のロールペーパー２６がカバー体３６の紙切断用刃３７より下方に露出し、次の使用のための摘み部となる。
【符号の説明】
【００２１】１、２９  ロールペーパーホルダー
３、３１  側部材
４、３２  側壁
８、３６  カバー体
１０  回転軸
１１、４５  回転板
１２、４４  錘
１３、４３  案内ピン
１５、４６  回動案内アーム
１６、４７  弧状ガイド壁
１７、４８  案内ピン係止壁
１８  案内ピン通り抜け溝
２２  ロールペーパー芯保持具
２４、３９  摩擦部材
２５  当接片
２６  ロールペーパー
２７  摘み部
３８  ロールペーパー芯取付具
４０  ラチェット軸
４１  ラチェットギア
４２  ラチェット爪
【図１】
0006429007.tif 000002
【図２】
0006429007.tif 000003
【図３】
0006429007.tif 000004
【図４】
0006429007.tif 000005
【図５】
0006429007.tif 000006
【図６】
0006429007.tif 000007
【図７】
0006429007.tif 000008
【図８】
0006429007.tif 000009
【図９】
0006429007.tif 000010
【図１０】
0006429007.tif 000011
【図１１】
0006429007.tif 000012
【図１２】
0006429007.tif 000013